(57)【要約】【課題】ＤＣモーターの代わりに誘導モーターを空気調和機の室内ファンモーターに用い、モーターの駆動もインバーターを用いずに、きめ細かい風量の調節を行なう。【解決手段】誘導モーターを空気調和機の室内ファン駆動に用いて駆動しながら、室内前面パネル開度を変化させ、風回路の通風抵抗を変化させることにより、室内ファンモータの回転数を変化させることなく、きめ細かい風量の調節を行なうことができ、快適性や信頼性を向上させる。【選択図】図１
2005134029.tif 000002
【特許請求の範囲】
【請求項１】
誘導モーターにより動作する送風ファンと、空気通路の吸込み口に、開閉自在の前面パネルを設けた室内ユニットを備えた空気調和機において、前記前面パネルの開度を変化させて、前記室内ユニットの風量を制御することを特徴とした空気調和機。
【請求項２】
冷房運転時、室内温度を検知し、前記室内温度と室内設定温度により、前面パネルの開度を制御し、冷房能力制御もしくは機体保護制御をすることを特徴とする、請求項１記載の空気調和機。
【請求項３】
冷房運転時、室内熱交換器温度を検知し、前記室内熱交換器温度が所定の温度を超えた時、前面パネルの開度を減少させることを特徴とする、請求項１記載の空気調和機。
【請求項４】
冷房運転時、室内熱交換器温度を検知し、前記室内熱交換器温度が所定の温度を下回ったとき、前面パネルの開度を増加させることを特徴とする、請求項１記載の空気調和機。
【請求項５】
暖房運転時、室内温度を検知し、前記室内温度と室内設定温度により、前面パネルの開度を制御し、暖房能力もしくは機体保護制御を行うことを特徴とする、請求項１記載の空気調和機。
【請求項６】
暖房運転時、室内熱交換器温度を検知し、前記室内熱交換器温度により、前面パネルの開度を制御することを特徴とする、請求項５記載の空気調和機。
【請求項７】
暖房運転時、圧縮機の停止時に前面パネル開度を減少あるいは全閉させることを特徴とする、請求項１記載の空気調和機。
【請求項８】
運転時、前面パネルの開度を連続的に変更しながら運転することを特徴とする、請求項１記載の空気調和機。
【発明の詳細な説明】
【技術分野】
【０００１】
本発明は、空気調和機の風量制御に関するものである。
【背景技術】
【０００２】
従来、空気調和機の多くは、室内送風ファンの駆動にＤＣモーターを搭載しインバータにて非常に細かい回転数制御を行なうことで、風量を調節し、能力調整および機体の保護ならびに快適性向上を図っている。
【０００３】
また、近年意匠性の高い室内ユニットを実現する為に、室内ユニットの前面パネルを可動型とし、運転停止時は前記前面パネルを閉じるものが提案されている（例えば、特許文献１参照）。
【特許文献１】特開平１０−２７８８７１号公報
【発明の開示】
【発明が解決しようとする課題】
【０００４】
しかしながら、ＤＣモータはインバーターによる極めて高精度の界磁制御が必要であり高額である。さらに、インバータ回路から発生する高調波に対する設計も必要となり、充分な駆動信頼性を確保する為に、多大な開発工数が必要になるという課題があった。
【０００５】
一方、ＤＣモーターの代わりに誘導モーターを室内ファンモーターに用い、モーターの駆動もインバーターを用いずに、回転数固定もしくはリレーによる進相キャパシタ容量の切替方式での限定的な回転数制御での駆動を行えば、モーターや駆動回路のコストの低減は可能となるが、回転数制御が限定的であるが故に、空気調和機の快適性が損なわれるという課題があった。
【課題を解決するための手段】
【０００６】
前記従来の課題を解決するために本発明は、誘導モーターを室内ファン駆動に用いて駆動しながら、前記可動型の室内前面パネルの開度を変化させることを組合わせることできめ細かい風量の調節を行なうものである。
【０００７】
これにより、室内送風ファンモーターに低コストな誘導モーターを用いつつも、従来のＤＣモーターの回転数可変による風量調整と同等の風量制御を実現するものである。また、室内ファンモーターのコストを大幅に低減することができることに加え、ＤＣモーターの搭載時に必要であった駆動信頼性確保のための多大な設計工数を大幅に削減することができる。
【発明の効果】
【０００８】
本発明の空気調和機は、快適性を確保しながら室内ファンモーターのコストを大幅に低減することができることに加え、ＤＣモーターの搭載時に必要であった駆動信頼性確保のための多大な設計工数を大幅に削減するという効果を奏する。
【発明を実施するための最良の形態】
【０００９】
第１の発明は、誘導モーターにより動作する送風ファンと、空気通路の吸込み口に、開閉自在の前面パネルを設けた室内ユニットを備えた空気調和機において、前記前面パネルの開度を変化させて、前記室内ユニットの風量を制御するもので、
室内送風ファンモーターに低コストな誘導モーターを用いつつも、従来のＤＣモーターの回転数可変による風量調整と同等の風量制御を実現するものである。これにより、室内フ
ァンモーターのコストを大幅に低減することができることに加え、ＤＣモーターの搭載時に必要であった駆動信頼性確保のための多大な設計工数を大幅に削減することが可能となる。
【００１０】
第２の発明は、冷房運転時、室内温度を検知し、前記室内温度と室内設定温度により、前面パネルの開度を制御し、冷房能力制御もしくは機体保護制御をするもので、冷房運転時室内ユニット吸いこみ温度と室内設定温度に応じて、前面パネル制御をすることで必要能力を可変し、圧縮機の停止頻度を減らし、快適性の向上が可能となる。
【００１１】
第３の発明は、冷房運転時、室内熱交換器温度を検知し、前記室内熱交換器温度が所定の温度を超えた時、前面パネルの開度を減少させるもので、冷房運転時室内ユニットの熱交換器温度が高い温度になる場合に前面パネル開度を減少させることで、熱交換器温度を下げ吹出し温度の上昇と、除湿能力の低下を防ぐことが可能となる。
【００１２】
第４の発明は、冷房運転時、室内熱交換器温度を検知し、前記室内熱交換器温度が所定の温度を下回ったとき、前面パネルの開度を増加させるもので、室内ユニット熱交換器温度を上昇させ、圧縮機を停止せずに凍結を防止し快適性の向上や機体の保護が可能となる。
【００１３】
第５の発明は、暖房運転時、室内温度を検知し、前記室内温度と室内設定温度により、前面パネルの開度を制御し、暖房能力もしくは機体保護制御を行うもので、必要能力を可変し、圧縮機の停止頻度を減らし快適性の向上が可能となる。
【００１４】
第６の発明は、暖房運転時、室内熱交換器温度を検知し、前記室内熱交換器温度により、前面パネルの開度を制御するもので、室内ユニットからの吹出し温度をコントロールし冷風の吹出しを抑え、快適性の向上が可能になる。
【００１５】
第７の発明は、暖房運転時、圧縮機の停止時に前面パネル開度を減少あるいは全閉させるもので、冷風感を低減し快適性の向上が可能になる。
【００１６】
第８の発明は、運転時、前面パネルの開度を連続的に変更しながら運転するもので、風のゆらぎを作り出し快適性の向上が可能になる。
【００１７】
以下、本発明の実施の形態について図面を参照して説明する。なお、この実施の形態によって、本発明が限定されるものではない。
【００１８】
（実施の形態１）
図１は、本発明の実施の形態における室内ユニットの図である。この図において、吸込み口１、室内熱交換器２、室内ファン３、吹出し口４からなる空気流路と前面パネル５、パネル駆動モータ６、パネル駆動装置７が設けられる。前面パネル５はパネル駆動モータ６の回転によりパネル駆動装置７の動作で前後に円滑に移動することができる。前面パネル開放時、室内ファン３の運転により吸込み口から吸入された空気は熱交換器を通過し吹出し口より吹出される。前面パネル閉塞時、吸込み口は閉塞されるため空気の吸入の抵抗となり、室内ファン３は回転数固定で開放時と同一であっても空気が流れなくなる（隙間や別の吸込み口等により完全にとまることは無い）。この開放状態から閉塞状態を調整することによりファン回転数固定で風量を無段階に可変可能とする。
【００１９】
この形態によれば、前記前面パネルの駆動により、室内ファン回転数を固定した状態で風量を調整することが可能となる。
【００２０】
なお、上記回転数固定ファンの代わりに、変速可能な誘導モーターを用いても同様の効果を得ることができ、さらに前面パネルの駆動範囲に柔軟性を持たせることも可能となることは言うまでも無い。
【００２１】
（実施の形態２）
本実施の形態の冷凍サイクル（図示しない）圧縮機、室外熱交換器、絞り装置、四方弁から構成されており、本実施では前記四方弁で冷房運転と暖房運転とに切替えが可能である。また本実施の制御部を図２、センサー位置を図３に示す。制御部１２、室内吸込みセンサー１３、室内配管センサー１４、から構成され制御部は室内ファンモータの運転、圧縮機の運転、前面パネルの駆動を制御している。
【００２２】
冷房運転時、室内設定温度と室内温度の差を制御部にて監視し、設定目標値から実験で導き出された温度になると、圧縮機の運転を続け、実験によって導きだされた前面パネル開口量に変更し風量を低下させる。さらに目標温度に接近すると圧縮機の運転は続けながら、実験的に求めた開口量に可変しさらに風量を低下させていく。目標温度到達時には圧縮機の運転は続いているが能力は低下しており、圧縮機の運転を止めずに設定温度に安定させることが可能である。
【００２３】
従来目標温度に到達すると、圧縮機のON、OFFを繰り返し室温を安定させるが、上記制御により不快な最蒸発や室温の不安定を招く圧縮機停止を最小限に抑えた運転が可能となる。また暖房運転時も上記制御を用い圧縮機の停止を減らし不快な室温の不安定を低減可能とする。
【００２４】
なお、前記実施例の冷凍サイクルにおいて、変速可能誘導モーター、容量可変の圧縮機を用いても同様の効果を得ることができさらにきめ細かな制御が可能となることは言うまでも無い。
【００２５】
また冷房運転時、室内配管温度センサーにより熱交換器温度を監視し、実験により求めた温度を超えるこのと、前面パネルを実験にて求めた量に閉塞し、熱交換器通過風量を低減する。
【００２６】
この形態によれば、冷房時の吹出し温度調節が可能可能となる。
【００２７】
また暖房運転時、室内配管温度センサーにより熱交換器温度を監視し、実験により求めた温度に到達すると、前面パネル開口量を増加し、実験で求めた温度を下回ると前面パネル開口量を減少する。
【００２８】
この形態によれば、暖房時の吹出し温度調節が可能となる。
【００２９】
また暖房運転時、圧縮機の運転を監視し、運転が停止している場合は、前面パネルを閉じる。
【００３０】
この形態によれば、暖房時の冷風吹出しを低減可能になる。
【００３１】
また運転時に前面パネルを実験で求めた量の範囲内で連続に変動させる。
【００３２】
この形態によれば風量を自然界のように揺らがせることが可能となる。
【図面の簡単な説明】
【００３３】
【図１】本発明の第１の実施形態を示す室内ユニット図
【図２】本発明の制御部の構成図
【図３】本発明の室内熱交換器の斜視図並びに温度センサーの配置図
【符号の説明】
【００３４】
１  吸込み口
２  室内熱交換器
３  室内ファン
４  吹出し口
５  前面パネル
６  パネル駆動モータ
７  パネル駆動制御装置
８  圧縮機
１２  制御部
１３  室内吸込み温度センサー
１４  室内熱交換器温度センサー
【図１】
2005134029.tif 000003
【図２】
2005134029.tif 000004
【図３】
2005134029.tif 000005